(57)【要約】【課題】  ＰＣが電源オフされている場合でもＰＣのＯＳによる制御を利用することなしに、さまざまな独立した機能を実行しうる多機能光ディスク駆動装置を提供する【解決手段】  本発明は、ＣＤ駆動装置と、ＤＶＤ駆動装置と、ＦＭラジオと、ＭＰ３音楽ＣＤプレーヤの機能とを有するＰＣに用いられる多機能光ディスク駆動装置において、ＰＣ電源オン状態検出装置を有する多機能視覚処理装置（ＶＰＣ）と、マイクロプロセッサと、バス・スイッチと、光ディスクサーバと、接続装置とからなる。たとえＰＣが電源オフされている場合でもＰＣのＯＳによる制御を利用することなしに、これらの機能を実行でき、電源オンの場合は、これらの機能がＰＣによって実行される。また接続装置は、電源コネクタとＤＶＤ−ＲＯＭ  ＣＤ−ＤＡアナログ音響出力コネクタとＳＰＤＩＦコネクタとを有しており、制御バスと出力バスとを有する支配コネクタを含む。【選択図】      図１
2004171745.tif 000002
【特許請求の範囲】
【請求項１】
パーソナルコンピュータ（ＰＣ）において用いられる、コンパクトディスク（ＣＤ）駆動装置とデジタルバーサタイルディスク（ＤＶＤ）駆動装置と周波数変調（ＦＭ）ラジオとＭＰ３音楽ＣＤプレーヤとの機能を有する多機能光ディスク駆動装置であって、
ＰＣ電源オン状態検出装置を有する多機能視覚処理装置（ＶＰＣ）と、マイクロプロセッサと、光ディスクサーバと、前記ＰＣの標準インターフェースと光ディスクサーバとの間に接続されるバス・スイッチと、前記バス・スイッチのオン／オフを制御するマイクロプロセッサと、からなる多機能光ディスク駆動装置において、
前記ビデオパネル制御装置（ＶＰＣ）は、前記ＰＣが電源オフされているときに、前記マイクロプロセッサにより前記バス・スイッチを制御することによって、前記ＰＣと前記光ディスクサーバとの間における標準インターフェースを切断することができるとともに、
前記マイクロプロセッサが前記独立した機能を実行し、前記マイクロプロセッサは、前記ＰＣの電源オン状態が前記ＰＣ電源オン状態検出装置により検出されると、前記バス・スイッチを制御して、前記ＰＣと前記光ディスクサーバとの間における標準インターフェースを接続するとともに、前記機能が前記ＰＣにより実行されることを特徴とする多機能光ディスク駆動装置。
【請求項２】
前記パーソナルコンピュータは、デスクトップ型ＰＣないしノートブック型ＰＣまたはタブレット型ＰＣのうちの１つを含むことを特徴とする請求項１に記載の多機能光ディスク駆動装置。
【請求項３】
前記標準インターフェースは、前記パーソナルコンピュータのＡＴＡＰＩ−ＩＤＥないしシリアルＡＴＡまたはＵＳＢ１．１／２．０ないしＩＥＥＥ１３９４標準インターフェースであることを特徴とする請求項１に記載の多機能光ディスク駆動装置。
【請求項４】
前記光ディスクサーバは、ＣＤ−ＲＯＭ、ＤＶＤ−ＲＯＭ、ＤＶＤ−Ｒ、ＤＶＤ−ＲＷ、ＤＶＥ＋Ｒ、ＤＶＤ＋ＲＷ、ＤＶＤ−ＲＡＭサーバのうちのいずれか１つを含むことを特徴とする請求項１に記載の多機能光ディスク駆動装置。
【請求項５】
モード選択と調節制御と状態指示との機能が前記光ディスク駆動装置のパネル上に設けられることを特徴とする請求項１に記載の多機能光ディスク駆動装置。
【請求項６】
前記ＰＣ電源オン状態検出装置を用いて、前記パーソナルコンピュータ内の電源装置の電圧または前記パーソナルコンピュータと前記視覚処理装置との間に接続されるバスから受信されるホストコンピュータのリセット信号（ＨＲＳＴ）が検出されて、前記パーソナルコンピュータの電源オン状態が確認されるようになっていることを特徴とする請求項１に記載の多機能光ディスク駆動装置。
【請求項７】
電源コネクタとＤＶＤ−ＲＯＭ  ＣＤ−ＤＡアナログ音響出力コネクタとＳＰＤＩＦ（ソニー・フィリップス・デジタルインターフェース（Sony-Philips Digital Interface））コネクタとを有する接続装置であって、制御バスと出力バスとを有して、以って前記光ディスク駆動装置の拡張性が高められうる支配コネクタを含む接続装置をさらに含むことを特徴とする請求項１に記載の多機能光ディスク駆動装置。
【発明の詳細な説明】
【技術分野】
【０００１】
本発明は、多機能光ディスク駆動装置と、該装置を特にコンパクトディスク（ＣＤ）駆動装置、デジタルバーサタイルディスク（ＤＶＤ）駆動装置、周波数変調（ＦＭ）ラジオおよびＭＰ３音楽ＣＤプレーヤの機能を備えたパーソナルコンピュータに接続する装置とにおいて、前記パーソナルコンピュータ（ＰＣ）が電源オフされているときに該コンピュータのオペレーティングシステム（ＯＳ）と接続装置とを用いずにさまざまな独立した機能を実行しうる多機能光ディスク駆動装置と該装置の接続装置とに関する。
【背景技術】
【０００２】
一般に、パーソナルコンピュータに用いられる光コンパクトディスク駆動装置は、光学的な態様でデータの読取りと書込みとを行なう記憶装置である。実際のところ、光ディスク駆動装置は、磁気ディスケット駆動装置の発明後にデータ記憶装置の分野において達成された最も重要な技術である。光ディスク駆動装置により、高密度磁気テープの利点である大記憶容量とディスケット駆動装置の迅速なランダムアクセスとが、高い記録密度、大記憶容量、非接触モードでの読取り／書込み、ディスク交換の容易さ、高いデータ送信速度、ランダムかつ高速のアクセス可能性、記憶情報に関する長期保存性、各情報の記憶費用が安価であること等の一連の優れた性能と組み合わされた。こうした高精密技術は、テレビ、オーディオ機器、画像記憶およびデータ処理装置等の産業分野に集中的に適用されてきた。
【０００３】
最近、パーソナルコンピュータ（ＰＣ）は、一般庶民の個人データ処理装置となっており、こうしたパーソナルコンピュータに取り入れられる光ディスク駆動装置は、非常に重要な役割を果たしてきた。しかし、パーソナルコンピュータが使用されないときは、光ディスク駆動装置も使用されないままになり、その一方でディスクの内容を見るためにデジタルバーサタイルディスク駆動装置を追加し、ＦＭラジオ局の放送を聴くためにラジオを使用し、ＭＰ３音楽光コンパクトディスク・プレーヤの音楽を受信および再生するためにコンピュータを電源オンしなければならないことは、むしろ不便である。
【０００４】
したがって、一方ではパーソナルコンピュータを電源オンして該パーソナルコンピュータのオペレーティングシステムを利用することなしに、省スペース化と利便性の向上と費用の削減との効能を達成することができ、他方では１個の装置に一体化されて、光コンパクトディスク駆動装置がビデオコンパクトディスクを再生し、デジタルバーサタイルディスク駆動装置がデジタルバーサタイルディスクを再生し、周波数変調ラジオが周波数変調放送を再生し、ＭＰ３音楽の光コンパクトディスク・プレーヤが該ディスクに記憶されている音楽を再生することができる装置を開発することが真に必要である。  
【０００５】
さらにまた、光ディスク駆動装置の接続装置の構成は、現在は「ＳＦＦ−８０２０ｉ準拠のＣＤ−ＲＯＭ用ＡＴＡＰＩ（ＡＴ付属装置用パケットインターフェース（AT Attachment Packet Interface））」という標準基準に制限されているため、使用可能な空間は、電源コネクタ、ＣＤ−ＤＡアナログ音響出力コネクタおよびＩＤＥ（集積デュアルチャネル拡張形（Integrated  Dual-channel  Enhanced））またはＳＣＳＩ（小型コンピュータ用インターフェース（Small  Computer  System  Interface））コネクタまたはＳＰＤＩＦ（ソニー・フィリップス・デジタルインターフェース（Sony-Philips  Digital  Interface））コネクタによって満たされ、さらなる拡張は不可能になっている。
【０００６】
たとえば、図５に示されているように、従来式光ディスク駆動装置用の接続装置は、単に従来の標準の構成の電源コネクタ４１と音響コネクタ３９とＩＤＥまたはＳＣＳＩコネクタ４０とを有するだけであり、さらなる拡張は困難である。
【０００７】
したがって、光ディスク駆動装置の制御部または入力／出力部に対応するバスを有する接続装置を開発して、以って光ディスク駆動装置の拡張性を高めることが必要である。
【発明の開示】
【発明が解決しようとする課題】
【０００８】
前記問題に基づいて、本発明の目的は、コンパクトディスク（ＣＤ）駆動装置とデジタルバーサタイルディスク（ＤＶＤ）駆動装置と周波数変調（ＦＭ）ラジオとＭＰ３音楽ＣＤプレーヤとの機能を有しており、たとえＰＣが電源オフされている場合でもパーソナルコンピュータのオペレーティングシステム（ＯＳ）による制御を利用することなしに、さまざまな独立した機能を実行しうる多機能光ディスク駆動装置を提供することにある。
【０００９】
さらに、本発明のまた他の目的は、コンパクトディスク（ＣＤ）駆動装置とデジタルバーサタイルディスク（ＤＶＤ）駆動装置と周波数変調（ＦＭ）ラジオとＭＰ３音楽ＣＤプレーヤとの機能を有しており、たとえＰＣが電源オフされている場合でも、パーソナルコンピュータのオペレーティングシステム（ＯＳ）による制御を利用することなしに、さまざまな独立した機能を実行しうる多機能光ディスク駆動装置用の接続装置において、制御バスおよび入力／出力バスの保管されているインターフェースをＣＤ−ＤＡアナログ音響出力コネクタおよびＳＰＤＩＦ（ソニー・フィリップス・デジタルインターフェース（Sony-Philips Digital Interface））コネクタと組み合わせて、以って光ディスク駆動装置の拡張性を高めて、将来の拡張のための無制限のスペースが得られるようにする支配コネクタからなる接続装置を提供することにある。
【課題を解決するための手段】
【００１０】
前記の一方の目的を達成するために、本発明のひとつの態様にしたがって多機能光ディスク駆動装置を提供する。この多機能光ディスク駆動装置は、パーソナルコンピュータ（ＰＣ）に用いられるとともに、コンパクトディスク（ＣＤ）駆動装置とデジタルバーサタイルディスク（ＤＶＤ）駆動装置と周波数変調（ＦＭ）ラジオとＭＰ３音楽ＣＤプレーヤとの機能を有しており、ＰＣ電源オン状態検出装置を有する多機能視覚処理装置（ＶＰＣ）と、光ディスクサーバと、前記ＰＣの標準インターフェースと光ディスクサーバとの間に接続されるバス・スイッチと、前記バス・スイッチのオン／オフを制御するマイクロプロセッサと、からなる。
【００１１】
本発明の多機能光ディスク駆動装置は、ＰＣが電源オフされているときに、視覚処理装置（ＶＰＣ）が、前記マイクロプロセッサによりバス・スイッチを制御することによって、ＰＣと光ディスクサーバとの間における標準インターフェースを切断し得、前記マイクロプロセッサが前記独立した機能を実行することと、ＰＣのオン状態がＰＣ電源オン状態検出装置によって検出されると、前記マイクロプロセッサがバス・スイッチを制御して、ＰＣと光ディスクサーバとの間における標準インターフェースを接続し、前記機能がＰＣによって実行されることを特徴とする。
【００１２】
さらに、本発明の前記態様によれば、パーソナルコンピュータは、デスクトップ型ＰＣないしノートブック型ＰＣまたはタブレット型ＰＣのうちの１つを含むことを特徴とする。
さらに、本発明の前記態様によれば、標準インターフェースは、パーソナルコンピュータのＡＴＡＰＩ−ＩＤＥないしシリアルＡＴＡまたはＵＳＢ１．１／２．０ないしパーソナルコンピュータに内蔵または外付けされるＩＥＥＥ１３９４標準インターフェースであることを特徴とする。
【００１３】
また、更に、本発明の前記態様によれば、光ディスクサーバは、ＣＤ−ＲＯＭ、ＤＶＤ−ＲＯＭ、ＤＶＤ−Ｒ、ＤＶＤ−ＲＷ、ＤＶＥ＋Ｒ、ＤＶＤ＋ＲＷ、ＤＶＤ−ＲＡＭサーバ等を含むことを特徴とする。
【００１４】
さらに、また、本発明の前記態様によれば、光ディスク駆動装置のパネル上にモード選択と調節制御と状態表示との機能が設けられる。
【００１５】
また、本発明の前記態様によれば、ＰＣ電源オン状態検出装置を用いて、パーソナルコンピュータの電源装置の電圧またはパーソナルコンピュータと視覚処理装置との間に接続されるバスから受信されるホストコンピュータのリセット信号が検出されて、パーソナルコンピュータの電源オン状態が判断されるようになっている。
【００１６】
さらにまた、本発明のもうひとつの目的を達成するために、本発明のまた他の態様にしたがって、コンパクトディスク（ＣＤ）駆動装置とデジタルバーサタイルディスク（ＤＶＤ）駆動装置と周波数変調（ＦＭ）ラジオとＭＰ３音楽ＣＤプレーヤとの機能を有する多機能光ディスク駆動装置用の接続装置において、電源コネクタとＣＤ−ＤＡアナログ音響出力コネクタとＳＰＤＩＦ（ソニー・フィリップス・デジタルインターフェース（Sony-Philips Digital Interface））コネクタとを有する接続装置であって、制御バスと出力バスとを有し、以って光ディスク駆動装置の拡張性を高めることができる支配コネクタからなることを特徴とする接続装置を提供する。
【発明を実施するための最良の形態】
【００１７】
以下、本発明の具体例を実施例及び図面を用いて詳細に説明する。本発明の前記およびその他の目的と特徴と利点とは、詳細な説明と同一の参照符号により同様の部分が示されている添付図面とからより明らかになろう。図１は、本発明の好適な実施例のシステム構造を示すブロック略図であり、図２は、本発明にしたがったＰＣ電源オン状態検出装置の回路構造を示す回路図である。図３は、本発明にしたがった多機能光ディスク駆動装置の動作手順を示す流れ図であり、図４は、本発明の好適な実施例にしたがった製品の外観を示す略図である。また、図５は、光ディスク駆動装置の従来式接続装置を示す構造略図である。図６は、本発明のまた他の好適な実施例にしたがった光ディスク駆動装置の接続装置の外観を示す略図であり、図７は、本発明の好適な実施例にしたがった光ディスク駆動装置の接続装置を示す構造略図である。図８は、本発明の他の好適な実施例のシステム構造を示すブロック略図である。
【００１８】
図１を参照すると、本発明の好適な実施例のシステム構造のブロック略図が示されている。図１において、パーソナルコンピュータ（ＰＣ）２に用いられる、コンパクトディスク（ＣＤ）駆動装置とデジタルバーサタイルディスク（ＤＶＤ）駆動装置と周波数変調（ＦＭ）ラジオとＭＰ３音楽ＣＤプレーヤとを一体的に含む多機能光ディスク駆動装置１が提供される。
【００１９】
一般に、この多機能光ディスク駆動装置１は、パーソナルコンピュータ２の電源装置２１に接続されるＰＣ電源オン状態検出装置１１と、４０ピン形バス・スイッチ１３と、光ディスクサーバ１４及びパーソナルコンピュータ２のマザーボード２２内のＡＴＡＰＩ−ＩＤＥ（AT application program interface-integrated driving electronics）インターフェース２２１に４０ピン形バス・スイッチ１３により接続されるＡＴＡＰＩ−ＩＤＥ（ＡＴアプリケーション・プログラム・インターフェース集積電子駆動装置）インターフェース１４１を有する光ディスクサーバ１４（光記憶装置サーバとも称される）とを制御するマイクロプロセッサ１２とからなる。
【００２０】
しかしながら、本発明は、以上に述べたバス・スイッチ及びインターフェースに限られないが、シリアルＡＴＡやＵＳＢ１．１／２・０及びＩＥＥＥ１３９４のようにＰＣと光ディスク駆動装置を内部／外部において接続するのに適した何れのバス・スイッチ及びインターフェースとすることもできる。ここで、光ディスクサーバ１４はＤＶＤ−ＲＯＭサーバである。しかしながら、本発明においては後述するようにこの種のサーバに限られる
ものではない。
【００２１】
図２に、本発明にしたがったＰＣ電源オン状態検出装置１１の回路構造図が示されている。このＰＣ電源オン状態検出装置１１は、パーソナルコンピュータ（ＰＣ）２の電源装置２１に接続されて、該パーソナルコンピュータに存在する使用電圧があるか否かを検出するとともに、パーソナルコンピュータのＡＴＡＰＩ−ＩＤＥインターフェースに接続されて、ＨＲＳＴ（ホストコンピュータのリセット信号）が存在するかどうかを検出し、これらの２つの内の一方が存在するときに、パーソナルコンピュータが電源オンされていることを指示（検出）し、これらのいずれもが存在しないときには、パーソナルコンピュータは電源オフされていることを指示（検出）する。このＰＣ電源オン状態検出装置１１は、検出信号をマイクロプロセッサ１２に送って、パーソナルコンピュータのオン状態が検出されるときに４０ピン形バス・スイッチ１３のオン／オフを制御する。
【００２２】
図３は、本発明にしたがった多機能光ディスク駆動装置の動作順序を示す流れ図である。この図に示されているように、ステップＳ１において、光ディスク駆動装置１の多機能視覚処理装置（ＶＰＣ）１０の動作が開始され、最初にステップＳ２において、多機能視覚処理装置（ＶＰＣ）１０が初期化され、ステップＳ３において、多機能視覚処理（ＶＰＣ）内のＰＣ電源オン状態検出装置１１が初期化されるとともに、ステップＳ４に進み、ステップＳ４において、ＰＣ電源オン状態検出装置１１は、たとえばパーソナルコンピュータ２の電源装置２１における＋３．３Ｖ／＋５Ｖ／＋１２Ｖ／−５Ｖ／−１２Ｖの直流電圧の存在と、ＩＤＥバス（すなわち、パーソナルコンピュータのＩＤＥ関連マザーボードとＩＤＥ駆動装置関連光コンパクトディスク駆動装置との間において直接接続される）におけるホストコンピュータのリセット信号（ＨＲＳＴ）の存在とを検出することにより、パーソナルコンピュータ（ＰＣ）２が電源オンまたはオフされているかどうかを検出する。
【００２３】
パーソナルコンピュータが電源オフされている場合、すなわち、いかなる電圧またはＨＲＳＴ信号も検出されない場合は、動作はステップＳ５に進み、パーソナルコンピュータが電源オンされている場合、すなわち電圧またはＨＲＳＴ信号が検出される場合は、動作はステップＳ８に進み、ステップＳ５において、ＰＣ電源オン状態検出装置１１は、パーソナルコンピュータ２が電源オフされていることを示す検出信号をマイクロプロセッサ１２に送って、マイクロプロセッサ１２が４０ピン形バス・スイッチ１３を制御して多機能視覚処理装置（ＶＰＣ）１０とパーソナルコンピュータ２のマザーボード２２上のＩＤＥバスとを切断しうるようにする。
【００２４】
次にステップＳ６において、多機能視覚処理装置（ＶＰＣ）１０のマイクロプロセッサ１２によってＩＤＥバスが制御され、続いてステップＳ７において、ＰＣ電源オン状態検出装置１１は、パーソナルコンピュータ２が電源オンされているか否かを検出し続けて、パーソナルコンピュータ２が依然として電源オフされている場合は、動作はステップＳ６に戻って、ＶＰＣのマイクロプロセッサがＩＤＥバスの制御を継続する一方で、パーソナルコンピュータが電源オンされている場合は、動作はステップＳ３に戻る。
【００２５】
その後、ステップＳ４においてパーソナルコンピュータが電源オンされていると、動作はステップＳ８に進み、ステップＳ８において、ＰＣ電源オン状態検出装置１１は、パーソナルコンピュータ２が電源オンされていることを示す検出信号をマイクロプロセッサ１２に送って、マイクロプロセッサ１２が４０ピン形バス・スイッチ１３を制御して、多機能視覚処理装置（ＶＰＣ）１０とパーソナルコンピュータ２のマザーボード２２上のＩＤＥバスとを接続しうるようにする。
【００２６】
次にステップＳ９において、パーソナルコンピュータのＡＴＡＰＩ−ＩＤＥインターフェース２２１によってＩＤＥバスが制御され、続いてステップＳ１０において、ＰＣ電源オン状態検出装置１１は、パーソナルコンピュータ２が電源オンされているか否かを検出し続け、パーソナルコンピュータ２が電源オンされている場合は、動作はステップＳ９に戻って、パーソナルコンピュータのＡＴＡＰＩ−ＩＤＥインターフェース２２１がＶＰＣのＩＤＥバスの制御を継続する一方で、パーソナルコンピュータが電源オフされた場合は、動作はステップＳ３に戻る。
【００２７】
図４は、本発明の前記好適な実施例にしたがった製品の外観を示す略図である。前記のように、本発明により、デジタルバーサタイルディスク（ＤＶＤ）駆動装置とＭＰ３音楽ＣＤプレーヤとコンパクトディスク（ＣＤ）駆動装置と周波数変調（ＦＭ）ラジオとが組み合わされて、パーソナルコンピュータ内においてＰＣが電源オンされているときに光ディスク駆動装置として用いられる単一の装置になっており、たとえＰＣが電源オフされている場合でも、この装置はＰＣのオペレーティングシステムを介することなしに独立して動作しうる。本発明の装置には、機能、モード、調節および選択の制御手段がパネルの左側に配置される四方選択装置とパネルの右側に配置される往復移動ボタンとに設けられる一方で、その使用状態に関する情報は、パネルの中央部分上に真空蛍光表示管表示装置において表示される。
【００２８】
前記図に示されるように、光ディスク駆動装置１は、長手方向の奥行きが前部の幅より大きい薄型の矩形の小箱形本体であり、その前面に、その左側に設けられる円形の凸状四方選択装置を有する回収可能な視覚処理装置１０が含まれる。四方選択装置の表面には、早送り／再生／巻戻し／停止のオプション機能がそれぞれ１２、３、６および９時の位置に設けられる一方で、この四方選択装置の周辺には、音量増減／消音（mute）／ＷＯＷおよびＥＱ／音量増の４つの機能キーが軸方向周縁部において凹状に同等の長さの形状を有して２、４、８および１０時の位置に設けられる。
【００２９】
パネルの右側には、中央ボタンとそれを取り巻く回転ボタンとによって構成される円形の二重凸状往復移動ボタンが設けられ、中央ボタンの頂部は球形のモード選択ボタンとなっている一方で、１２、３、６および９時の位置といった表面位置に配置される半球形の凸状周縁回転ボタンは、時計方向／反時計方向の回転により周波数／再生速度を調節するのに用いられ、右上隅には、制御パネルの取出し／回収を制御する球形の押しボタンが設けられる。パネルの中央に、若干凸状の円弧形状を有する上側および下側縁部と若干凹状の円弧形状を有する左側および右側縁部とを有する横長の真空蛍光表示部が設けられ、この真空蛍光表示部の表面に、その後、四方選択装置と往復移動ボタンとの制御モードにしたがって、周波数応答選択／電源出力表／同調選択／選択的指示などの情報が表示される。
【００３０】
図６は、本発明のまた他の好適な実施例にしたがった光ディスク駆動装置の接続装置の外観を示す略図である。図６において、内部に一体的に配設されるコンパクトディスク（ＣＤ）駆動装置とデジタルバーサタイルディスク（ＤＶＤ）駆動装置と周波数変調（ＦＭ）ラジオとＭＰ３音楽ＣＤプレーヤとの機能を有する多機能光ディスク駆動装置用の接続装置が示されている。この接続装置は、電源コネクタ３８とＣＤ−ＤＡアナログ音響出力コネクタ３５とＳＰＤＩＦ（ソニー・フィリップス・デジタルインターフェース（Sony-Philips Digital Interface））コネクタ３６とを有する。この接続装置の特徴は、支配コネクタ３７からなる。この支配コネクタ３７は、制御バスと出力バスとを有し、以って光ディスク駆動装置の拡張性が高められうる。
【００３１】
図７は、本発明の好適な実施例にしたがった光ディスク駆動装置の接続装置を示す構造略図である。図７において、パーソナルコンピュータと接続するための光ディスク駆動装置の接続盤が示されている。この接続盤の左側に、電源コネクタ３８とＣＤ−ＤＡアナログ音響出力コネクタ３５とＳＰＤＩＦ出力コネクタ３６と支配コネクタ３７とが設けられる。支配コネクタ３７は、制御バスと入力／出力バス（図示せず）とを有する。接続盤の右側に、後部入力部３１と後部出力部３２とＦＭアンテナ３３と直流１２ボルト入力部３４とが設けられる。
【００３２】
さらに、図８に本発明のまた他の好適な実施例のシステム構造を示すブロック図が図示されている。簡潔化のため、図１に示されたと類似の部分に相当する図８の部分の図示は省略されている。
【００３３】
図１に示されるＶＰＣ１０の機能は、図８の構成において高められうる。図８に示されるように、多機能光ディスク駆動装置１１は、ＰＣ電源オン状態検出装置１１１を有しており、パーソナルコンピュータ１２の電源１２１や、４０ピン形バス・スイッチ１１３及びシリアルバス・スイッチ１１３ａを制御するマイクロプロセッサ１１２や、ＡＴＡＰＩ−ＩＤＥインターフェース１１４１及びシリアルＡＴＡインターフェース１１４１ａを有する光ディスクドライブ１１４や、ＵＳＢ１．１／２．０及びＩＥＥＥ１３９４コントローラ１１５に接続される。
【００３４】
その中でも、４０ピン形バス・スイッチ１１３及びシリアルバス・スイッチ１１３ａは、それぞれ４０ピン形ＡＴＡＰＩ−ＩＤＥバスないしケーブル及びシリアルＡＴＡインターフェースケーブルにより、ＡＴＡＰＩ−ＩＤＥインターフェース１２２１及びシリアルＡＴＡインターフェース１２２１ａに接続される。ＵＳＢ１．１／２．０及びＩＥＥＥ１３９４コントローラ１１５は、それぞれＵＳＢケーブル及びＩＥＥＥ１３９４ケーブルにより、ＵＳＢ１．１／２．０インターフェースコネクタ１５２１及びＩＥＥＥ１３９４インターフェースコネクタ１５２１ａに接続される。
【００３５】
前記のように、図８の構成によれば、パーソナルコンピュータ（ＰＣ）には、さらに通常のデスクトップ型ＰＣを除くノートブック型ＰＣやタブレット型ＰＣが含まれるであろう。いいかえれば、ＶＰＣ１１０は前記のパソコンのいずれも用いられうる。
【００３６】
前記のように、図８の構成によれば、光ディスクサーバは、図１のシステムにおいて一般的に用いられているＤＶＤ−ＲＯＭサーバに限られるものではないが、ＣＤ−ＲＯＭ、ＤＶＤ−ＲＯＭ、ＤＶＤ−Ｒ、ＤＶＤ−ＲＷ、ＤＶＤ＋Ｒ、ＤＶＤ＋ＲＷ、ＤＶＤ−ＲＡＭサーバ等のいずれか一つを含めることも可能である。概略図に示されるように、接続する光ディスクサーバ１１４のインターフェースは、バスがプラグインされると自動的に検出することができるＡＴＡＰＩ−ＩＤＥインターフェース１１４１及びシリアルＡＴＡインターフェース１１４１ａにすることも可能である。ＶＰＣ１１０は、バス線がプラグインされた後、ＰＣ１２に自動接続ないし手動接続の状態に置かれうる。
【００３７】
すなわち、ＶＰＣ１１０にはＵＳＢ１．１／２．０及びＩＥＥＥ１３９４コントローラ１１５及びケーブルプラグイン検出機能が含まれていることから、かかるＶＰＣ１１０は、パーソナルコンピュータ又は他の装置へ自動接続ないし手動接続の状態に置かれうる。したがって、図８のＶＰＣ１１０は、ＶＰＣ１１０がデスクトップ型ＰＣやノートブック型ＰＣやタブレット型ＰＣといったパーソナルコンピュータに、内蔵または外付けされるようなＡＴＡＰＩ−ＩＤＥないしシリアルＡＴＡインターフェース（１１４１、１１４１ａ）及びＵＳＢ１．１／２．０及びＩＥＥＥ１３９４コントローラ１１５を有している。
【００３８】
さらに、ＶＰＣ１１０内の光記憶装置の機能を有することに加えて、ユーザーが光記憶装置とハイファイステレオの両方を所有するであろう場合を想定し、もう一つのハイファイシステムのためにスペースとコストを節約すべく、ミニハイファイステレオの機能もまたＶＰＣ１１０内に取り込むことができる。
【００３９】
いいかえれば、ＶＰＣ１１０がコンピュータのインターフェースを通じた制御を全くすることなしに、独立してハイファイステレオを作動するだけでなく、パーソナルコンピュータへの接続時に高性能の光記憶装置を稼動させることもまた可能である。このように、ＶＰＣ１１０をハイファイステレオとして用いるときは、パーソナルコンピュータを起動させたり、パーソナルコンピュータのマザーボードやＣＰＵからのリソースを使用したりすることは不要である。
【００４０】
前記において本発明の好適な実施例を説明したが、本発明は、前記実施例に制限されるものではなく、添付の特許請求の範囲から逸脱しない単純な変更および改変は、本発明の範囲内に含まれると見なされなければならない。
【図面の簡単な説明】
【００４１】
【図１】本発明の好適な実施例のシステム構造を示すブロック略図である。
【図２】本発明にしたがったＰＣ電源オン状態検出装置の回路構造を示す回路図である。
【図３】本発明にしたがった多機能光ディスク駆動装置の動作手順を示す流れ図である。
【図４】本発明の好適な実施例にしたがった製品の外観を示す略図である。
【図５】光ディスク駆動装置の従来式接続装置を示す構造略図である。
【図６】本発明のまた他の好適な実施例にしたがった光ディスク駆動装置の接続装置の外観を示す略図である。
【図７】本発明の好適な実施例にしたがった光ディスク駆動装置の接続装置を示す構造略図である。
【図８】本発明の他の好適な実施例のシステム構造を示すブロック略図である。
【符号の説明】
【００４２】
１、１１      多機能光ディスク駆動装置
２、１２      パーソナルコンピュータ（ＰＣ）
１０、１１０  多機能視覚処理装置（ＶＰＣ）
１１、１１１  ＰＣ電源オン状態検出装置
１２、１１２  マイクロプロセッサ
１３、１１３  ４０ピン形バス・スイッチ
１１３ａ      シリアルバス・スイッチ
１４、１１４  光ディスク
２１、１２１  電源
２２   コンピュータのマザーボード
３１   後部入力部
３２   後部出力部
３３   ＦＭアンテナ
３４   直流１２ボルト入力部
３５   ＤＶＤ−ＲＯＭ  ＣＤ−ＤＡアナログ音響出力コネクタ
３６   ＳＰＤＩＦ出力コネクタ
３７   支配コネクタ
３８   電源コネクタ
３９   音響コネクタ
４０   ＩＤＥまたはＳＣＳＩコネクタ
４１   電源コネクタ
１１５        ＵＳＢ１．１／２．０ないしＩＥＥＥ１３９４
１４１、２２１、１１４１、１２２１        ＡＴＡＰＩ−ＩＤＥ（ＡＴアプリケーション・プログラム・インターフェース集積電子駆動装置（AT application program interface-integrated driving electronics））インターフェース
１１４１ａ、１２２１ａ      シリアルＡＴＡインターフェース
１５２１      ＵＳＢ１．１／２．０インターフェースコネクタ
１５２１ａ    ＩＥＥＥ１３９４インターフェースコネクタ
【図５】
2004171745.tif 000003
【図１】
2004171745.tif 000004
【図２】
2004171745.tif 000005
【図３】
2004171745.tif 000006
【図４】
2004171745.tif 000007
【図６】
2004171745.tif 000008
【図７】
2004171745.tif 000009
【図８】
2004171745.tif 000010
【外国語明細書】
2004171745.tif 000011
2004171745.tif 000012
2004171745.tif 000013
2004171745.tif 000014
2004171745.tif 000015
2004171745.tif 000016
2004171745.tif 000017
2004171745.tif 000018
2004171745.tif 000019
2004171745.tif 000020
2004171745.tif 000021
2004171745.tif 000022
2004171745.tif 000023
2004171745.tif 000024
2004171745.tif 000025
2004171745.tif 000026
2004171745.tif 000027
2004171745.tif 000028
2004171745.tif 000029
2004171745.tif 000030
2004171745.tif 000031
2004171745.tif 000032
2004171745.tif 000033
2004171745.tif 000034
2004171745.tif 000035
2004171745.tif 000036
2004171745.tif 000037